Podtech/llm-jp-corpus-v4-ja_patent huggingface dataset:
(57)【要約】      （修正有）【課題】外反母趾、扁平足矯正をする訓練具を提供する。【解決手段】サンダル中底の先端部に親指挟み付け突設を設け、左右側面に伸縮バンドと先端部にマジックテープ（登録商標）を設けたことを特徴とする外反母趾、扁平足強正訓練具である。これにより、色々な足形に適応して調整でき、便利で優れた効果がある。【選択図】図１
0003149771.tif 000002
【実用新案登録請求の範囲】
【請求項１】
サンダル中底先端部に親指挟み付け突設を設けた外反母趾、扁平足矯正訓練具。
【請求項２】
サンダル中底側面左右に、伸縮バンドを設けた、請求項１に記載の外反母趾、扁平足矯正訓練具。
【請求項３】
サンダル中底側面左右に、伸縮バンドの先端部に、マジックテープを設けた、請求項１、請求項２に記載の外反母趾、扁平足矯正訓練具。
【考案の詳細な説明】
【技術分野】
【０００１】本考案は外反母趾、扁平足矯正訓練具に関する。
【背景技術】
【０００２】従来の矯正具は足に装着するだけで、思ったより欠点が多い。
【考案の開示】
【考案が解決しようとする課題】
【０００３】しかしながら、従来の矯正具は装着時には足の形はよく見えても、外すと変形した
0003149771.tif 000003
【課題を解決するための手段】
【０００４】本考案はサンダル中底先端部に親指挟み付け部に突設を設け、サンダル中底側面左右に伸縮バンドを設け、伸縮バンド先端部にマジックテープを設けて上記課題を解決するものである。
【考案を実施するための最良の形態】
【０００５】図１に示すように、外反母趾、扁平足矯正訓練具のサンダル中底に足を乗せ、先端親指挟み付け部に指をいれ、左右側面バンドで固定する。先端部に設けたマジックテープで調整して押止する。
【考案の効果】
【０００６】本考案は、外反母趾、扁平足矯正訓練具は、個々の足形変化があり、色々な足形に適応でき、調整できて便利で優れた効果がある。
【図面の簡単な説明】
【図１】本考案に係る、外反母趾、扁平足矯正訓練具の工程図である。
【符号の説明】
１      中底
２      親指挟み突設
３      伸縮バンド
４      マジックテープ（オス）
５      マジックテープ（メス）
【図１】
0003149771.tif 000004
【手続補正書】
【提出日】平成20年12月1日(2008.12.1)
【手続補正１】
【補正対象書類名】実用新案登録請求の範囲
【補正対象項目名】全文
【補正方法】変更
【補正の内容】
【実用新案登録請求の範囲】
【請求項１】
サンダル中底先端部に親指挟み付け突設を設けた外反母趾、扁平足矯正訓練具。
【請求項２】
サンダル中底側面左右に、伸縮バンドを設けた、請求項１に記載の外反母趾、扁平足矯正訓練具。
【請求項３】
サンダル中底側面左右に、伸縮バンドの先端部に、マジックテープ（登録商標）を設けた、請求項１または請求項２に記載の外反母趾、扁平足矯正訓練具。
【手続補正２】
【補正対象書類名】明細書
【補正対象項目名】全文
【補正方法】変更
【補正の内容】
【考案の詳細な説明】
【技術分野】
【０００１】  本考案は外反母趾、扁平足矯正訓練具に関する。
【背景技術】
【０００２】  従来の矯正具は足に装着するだけで、思ったより欠点が多い。
【考案の開示】
【考案が解決しようとする課題】
【０００３】  しかしながら、従来の矯正具は装着時には足の形はよく見えても、外すと変形した足に戻る。それは足底筋が弱って伸びているからである。足の横の∩アーチが消失すると外反母趾になり、縦の∩アーチが消失すると扁平足になる恐れがある。
【課題を解決するための手段】
【０００４】本考案はサンダル中底先端部に親指挟み付け部に突設を設け、サンダル中底側面左右に伸縮バンドを設け、伸縮バンド先端部にマジックテープ（登録商標）を設けて上記課題を解決するものである。
【考案を実施するための最良の形態】
【０００５】図１に示すように、外反母趾、扁平足矯正訓練具のサンダル中底に足を乗せ、先端親指挟み付け部に指をいれ、左右側面バンドで固定する。先端部に設けたマジックテープ（登録商標）で調整して押止する。
【考案の効果】
【０００６】本考案は、外反母趾、扁平足矯正訓練具は、個々の足形変化があり、色々な足形に適応でき、調整できて便利で優れた効果がある。
【図面の簡単な説明】
【図１】本考案に係る、外反母趾、扁平足矯正訓練具の工程図である。
【符号の説明】
１    中底
２    親指挟み突設
３    伸縮バンド
４    マジックテープ（登録商標）（オス）
５    マジックテープ（登録商標）（メス）
(57)【要約】      （修正有） 【課題】プレキャストコンクリート製品において空洞部のグラウトを簡単に、またセメントミルクの充填確認を容易にするためのプレキャストコンクリート製品を提供する。【解決手段】プレキャストコンクリート製品にセメントミルク誘導溝５を有したセメントミルク充填注入口２と、空気抜きとセメントミルク充填確認を兼ねたセメントミルク充填確認孔４を設ける構造を付加したことで、簡単で経済的なグラウトを可能としたプレキャストコンクリート製品を構成する。【選択図】図１
0003149772.tif 000002
【実用新案登録請求の範囲】
【請求項１】
プレキャストコンクリート製品において、製品空洞部にグラウトをする場合のセメントミルク充填注入口と空気抜きと充填確認を兼ねたセメントミルク充填確認孔を設けたことを特徴とするプレキャストコンクリート製品。
【請求項２】
前記のセメントミルク充填注入口は、空洞部に通じるセメントミルク誘導溝を設けたことを特徴とする請求項１記載のプレキャストコンクリート製品。
【請求項３】
前記のセメントミルク充填確認孔は、製品空洞部において空気抜きと充填確認ができる貫通孔を設けたことを特徴とする請求項１と請求項２記載のプレキャストコンクリート製品。          
【考案の詳細な説明】
【技術分野】
【０００１】
本考案はプレキャストコンクリート製品の空洞部のグラウトを容易に経済的に、また確実にできる技術に関するものである。
【背景技術】
【０００２】
プレキャストコンクリート製品の空洞部のグラウトは通常、空洞部へチューブや管を挿入し、圧入機によりセメントミルクを注入する。
またプレキャストコンクリート製品を連結するボルトを鋼管としてこのボルトの頭部にチューブを取り付けてグラウトするもの（例えば特許文献１参照）がある。
【特許文献１】特開２００８−１４４４４２号
【考案の開示】
【考案が解決しようとする課題】
【０００３】
プレキャストコンクリート製品の空洞部のグラウトは圧入機等の設備が必要であり決して経済的ではない。またグラウトの完了確認は注入口からのセメントミルクのオーバーフローを見る程度で、空洞部に空気溜まりが無く完全に充填できたかどうかの確認は不可能である。
したがって確実なセメントミルクの充填とその作業の容易性及び経済性が要求される。
【課題を解決するための手段】
【０００４】
本考案はかかる課題を解決するための具体的手段として、プレキャストコンクリート製品の頭部に空洞部に通じるセメントミルク誘導溝を有したセメントミルク充填注入口を設けるとともに、空洞部には空気抜きと充填確認をするための貫通孔を設けたプレキャストコンクリート製品とした。
【考案の効果】
【０００５】
本考案によれば、グラウトに用いるセメントミルクは通常セメント１：水１程度の配合で流動性の大きい液状のものであることから、プレキャストコンクリート製品にセメントミルク誘導溝と空洞部の空気抜き孔を設けることで、わずかな隙間からでもセメントミルクの流し入れを可能とした。したがってプレキャストコンクリート製品の頭部に設けたセメントミルク充填注入口からヒシャク等で容易にセメントミルクを流し入れることができ、圧入機等の設備が不要であることから経済的である。
【実施例】
【０００６】
プレキャストコンクリート製品の例を図１に示す。
その連結例を図２および図３に示す。
【０００７】
空洞部であるＰＣ鋼棒挿入孔３へのグラウトは、ＰＣ鋼棒６およびプレート７とカップラー８を取り付けた状態（図４の断面図参照）で行うため、セメントミルク充填注入口２（詳細を図４に示す）はＰＣ鋼棒挿入孔３にセメントミルクを誘導するためのセメントミルク誘導溝５が設けてある。
グラウトに用いるセメントミルクは流動性の大きい液状のものであることから、セメントミルク充填注入孔２に取り付けたプレート７の上面へ、ヒシャク等で流しがけすることで、セメントミルク誘導溝５に流入する。
セメントミルクを容易にＰＣ鋼棒挿入孔３に流入させるためには、セメントミルク充填注入口２の大きさ（長さ及び幅）を、プレート７より５mm〜10mm程度は大きくすることが望ましく、またセメントミルク誘導溝５は、幅約２０mm深さ約２０mm程度でＶ字型構造になっていることが望ましい。
【０００８】
セメントミルク充填確認孔４は、セメントミルク注入時の空気抜きと充填確認を目的としているため、空洞部であるＰＣ鋼棒挿入孔３の上部と下部の２カ所（図１図２図３参照）に設けている。
セメントミルクの充填とその確認は、セメントミルク充填注入口２から流入したセメントミルクが、まず下部のセメントミルク充填確認孔４から流出してくることを確認してから、そのセメントミルク充填確認孔４（下部）の出口をモルタルまたはセメントペーストで塞ぐ、つづいて上部のセメントミルク充填確認孔４からセメントミルクが流出してくることを確認し、そのセメントミルク充填確認孔４（上部）の出口をモルタルまたはセメントペーストで塞ぐ、その後はセメントミルク充填注入口２からセメントミルクのオーバーフローを確認してセメントミルクの注入を止める。
セメントミルク充填確認孔４の位置は、空洞部の空気溜まりを防ぐために、上部下部とも製品端部から製品長さの１／１０〜２／１０程度の位置が望ましく、その貫通孔の径は直径１８〜２０mm程度が適当である。
【図面の簡単な説明】
【０００９】
【図１】本考案プレキャストコンクリート製品の斜視図である。
【図２】本考案プレキャストコンクリート製品の連結斜視図である。
【図３】本考案プレキャストコンクリート製品連結の断面図である。
【図４】本考案プレキャストコンクリート製品セメントミルク充填確認孔の詳細図である。
【符号の説明】
【００１０】
１    フ゜レキャストコンクリートハ゜ネル
２    フ゜レートヘ゛ース兼セメントミルク充填注入口
３    PC鋼棒挿入孔
４    セメントミルク充填確認孔
５    セメントミルク誘導溝
６    PC鋼棒
７    フ゜レート
８    カッフ゜ラー
【図１】
0003149772.tif 000003
【図２】
0003149772.tif 000004
【図３】
0003149772.tif 000005
【図４】
0003149772.tif 000006
【手続補正書】
【提出日】平成21年1月6日(2009.1.6)
【手続補正１】
【補正対象書類名】実用新案登録請求の範囲
【補正対象項目名】全文
【補正方法】変更
【補正の内容】
【実用新案登録請求の範囲】
【請求項１】
プレキャストコンクリート製品において、製品空洞部にグラウトをする場合のセメントミルク充填注入口と空気抜きと充填確認を兼ねたセメントミルク充填確認孔を設けたことを特徴とするプレキャストコンクリート製品。
【請求項２】
前記のセメントミルク充填注入口は、空洞部に通じるセメントミルク誘導溝を設けたことを特徴とする請求項１記載のプレキャストコンクリート製品。
【請求項３】
前記のセメントミルク充填確認孔は、製品空洞部において空気抜きと充填確認ができる貫通孔を設けたことを特徴とする請求項１又は請求項２記載のプレキャストコンクリート製品。
(57)【要約】      （修正有）【課題】プリント基板を耐熱樹脂製搬送プレートに固定し、ディップ装置と呼ばれる自動半田付装置を用いてプリント基板に電子部品の半田付け作業に使用するプリント基板用耐熱樹脂製搬送プレートを提供する。【解決手段】搬送プレート１は、基板２に電子部品３を半田付けする際に、基板２の形状に合わせ落とし込みザグリ加工を行い、ザグリ加工をした周り数箇所に基板２と当接する基板押え４を取り付けて基板を固定する。また、半田の熱によって半田噴流方向へ反る数値分だけ、基板２方向へ盛り上げるような加工をしたプリント基板用耐熱樹脂製搬送プレート曲面加工２０により、この課題を解決する。【選択図】図１
0003149777.tif 000002
【実用新案登録請求の範囲】
【請求項１】
搬送プレートを半田噴流によって熱せられ半田噴流方向へ反る数値分だけ、基板方向へ盛り上げるように施したプリント基板用耐熱樹脂製搬送プレート曲面加工。
【考案の詳細な説明】
【技術分野】
【０００１】  本考案は、プリント基板を耐熱樹脂製搬送プレートに固定し、ディップ装置と呼ばれる自動半田付装置を用いてプリント基板に電子部品の半田付け作業に使用するプリント基板用耐熱樹脂製搬送プレート曲面加工に関する。
【背景技術】
【０００２】  従来では、自動半田付装置を用いてプリント基板（以下、基板）を耐熱樹脂製搬送プレート（以下、搬送プレート）で受けて半田付けを行なう際に、基板を受ける搬送プレートに基板に合わせた落とし込みザグリ加工を行い、基板に電子部品の半田付けをする箇所に半田が付く様に穴を空け、ザグリ加工をした周り数箇所に、基板と当接する基板押えを取り付け固定し、半田付けをしていた。
【考案の開示】
【考案が解決しようとする課題】
【０００３】  しかし、これでは、半田噴流の熱によって搬送プレートに反りが生じ、搬送プレートと基板に隙間ができ、その隙間から半田が侵入してしまうため、過多に半田付けされてしまうなど、正常な半田付けが行なえず不便である。
【課題を解決するための手段】
【０００４】  そこで、搬送プレートが半田噴流によって熱せられ半田噴流方向へ反る数値分だけ、基板方向へ盛り上げるように施したプリント基板用耐熱樹脂製搬送プレート曲面加工を考案した。このプリント基板用耐熱樹脂製搬送プレート曲面加工により、基板と搬送プレートに隙間がなくなるため、半田の侵入を防ぐことができる。
【考案の効果】
【０００５】  よって、プリント基板用耐熱樹脂製搬送プレート曲面加工により、搬送プレートが半田噴流の熱によって熱せられて半田噴流方向へ反ると、搬送プレートと基板と平行になり、搬送プレートと基板との隙間がなくなり、密着したまま半田付けされるため、半田の侵入がなくなる。
【考案を実施するための最良の形態】
【０００６】  本考案に係るプリント基板用耐熱樹脂製搬送プレート曲面加工２０は、図１が示すように、基板２に電子部品３を半田付けする際に、搬送プレート１に基板２の形状に合わせ落とし込みザグリ加工を行い、ザグリ加工をした周り数箇所に基板２と当接する基板押え４を取り付けて基板を固定する。また、搬送プレート１は図２で示すように、半田の熱によって半田噴流方向へ搬送プレート１が反る数値分だけ、搬送プレート１を基板２方向へ盛り上げるような加工を行なう。
【図面の簡単な説明】
【０００７】
【図１】  本考案の係るプリント基板用耐熱樹脂製搬送プレート曲面加工を搬送プレートに施し、プリント基板で使用した状態の断面図である。
【図２】  本考案の係るプリント基板用耐熱樹脂製搬送プレート曲面加工を施した搬送プレートにプリント基板を固定して（［図１］の状態）自動半田付装置で使用した状態の断面図である。
【図３】  従来のプリント基板用耐熱樹脂製搬送プレートをプリント基板で使用した状態の断面図である。
【図４】  従来のプリント基板用耐熱樹脂製搬送プレートにプリント基板を固定して、自動半田付装置で使用した状態の断面図である。
【符号の説明】
【０００８】      １    耐熱樹脂製搬送プレート（及び、搬送プレート）
２    プリント基板（及び、基板）
３    電子部品
４    プリント基板と当接する基板押え
２０    プリント基板用耐熱樹脂製搬送プレート曲面加工
Ｈ    半田噴流
【図１】
0003149777.tif 000003
【図２】
0003149777.tif 000004
【図３】
0003149777.tif 000005
【図４】
0003149777.tif 000006
【手続補正書】
【提出日】平成21年1月13日(2009.1.13)
【手続補正１】
【補正対象書類名】実用新案登録請求の範囲
【補正対象項目名】全文
【補正方法】変更
【補正の内容】
【実用新案登録請求の範囲】
【請求項１】
搬送プレートを半田噴流によって熱せられ半田噴流方向へ反る数値分だけ、基板方向へ曲面に加工を施したプリント基板用耐熱樹脂製搬送プレート。
(57)【要約】      （修正有）【課題】ロットに巻きつけた髪の毛を効率よく乾燥させ美しいウエーブを出し、パーマ剤やカラー剤の浸透をムラ無く促進させ、又ヘナ等の植物カラーを早く発色させる為に加温と酸化作用を同時に行うドライマシーンを提供する。【解決手段】フード２内に温風を送り込むことによって、ロットに巻かれた水分を含んだ状態の髪を乾燥させる事が出来る。ショートヘアーでは約３０分、ロングでは４０分ぐらいの時間が必要だが客には熱さに対しての苦情はなく、おおよそこの時間内で乾燥できる。又パーマやカラー剤の作用時間は従来の約７０％ぐらいの時間内で足りることが確認された。ヘナ等の植物系カラーの発色時間も大幅に短縮され約２０分〜３０分以内で従来の約半分ぐらいの時間で作業を終えることができた。その他温熱処理が必要と思われる作業に対し、本ドライマシーンを使用することによって解決できる範囲は広まる。【選択図】図１
0003149778.tif 000002
【実用新案登録請求の範囲】
【請求項１】
風量拡散器を内側に取り付けた風量拡散器つきフードと三脚台を改良し、ヘアードライヤーを固定するためのドライヤー専用フォルダーを取り付けたものを１体化し、フード内に温風を送り込んで使用することを特徴とするドライマシーン。
【考案の詳細な説明】
【技術分野】
【０００１】  本考案は毛髪や頭皮に対し均一、かつ効率よく加温し又濡れている髪を乾かす事ができる毛髪美容器具に関するものである。
【背景技術】
【０００２】  以前はパーマやカラー技術の際全頭部を均一に加温するのは難しく、又濡れている髪を乾燥させる為に別の美容器具を使用していた。
【考案の開示】
【考案が解決しようとする課題】
【０００３】  従来の加温式促進器では全頭部に対し均一な加温を得る事が難しく、又乾燥を行うことが出来ない。又従来の器具は価格が高く備えることは容易ではない。比較的簡素な構造上製作コストを低く抑え安価で提供することができ前述の欠点を解決しようとするものである。
【課題を解決するための手段】
【０００４】本考案は毛髪に施したパーマやカラーに対して頭髪全体を均一かつ効率よく加温し、パーマ剤やカラー剤の浸透を促進させ発色させる為のものである、又髪の毛に直接風を当て乾燥させることにより、ヘナ等の植物性カラーを早く発色させたり、美しく長持ちする形状記憶様パーマ等をかけることができる装置である、高額な器具を使わなくても簡単な装置で従来ある器具以上の働きができる。目的に合った自由な使用方法により問題点を解決している。
【考案の効果】
【０００５】  パーマ、カラー時やトリートメント等の行為の際、通常ナイロンキャップを被りその上から熱を当てると短時間で均一に加温でき又、パーマー剤を完全に洗い流した後３０分程度でロットを巻きつけたまま乾燥させると持続性のある美しいウエーブを得ることができるので１台で多様な使い方ができる。
【考案を実施するための最良の形態】
【０００６】  直径１ｍぐらいの通気性のある円形生地を用いて端を袋状に縫いゴムを通して絞りキャップ様にした物に一部穴をあけ風量拡散器を内側に取り付けた風量拡散器つきフードと三脚台を改良し、ヘアードライヤーを固定するためのドライヤー専用フォルダーを取り付けてヘアードライヤーをセットし、前述のフードに取付けた拡散器の口をドライヤーの吹きだし口に差し込み同フード内に温風を送り込んで使用する。
本考案のドライマシーンは毛髪、頭皮全体をむらなく効率よく加温し薬剤の浸透を促進させることが出来、又ロットに巻かれた髪を乾かすことも出来る。このためロットの数やロットの太さに制限無く自由にデザインすることも可能になった。
【実施例】
【０００７】  以下、添付図面に従って一実施例を説明する。１は三脚である２のフード本体は通気性のある金属加工生地で直径１ｍの円形に切られ、３は袋様に縫い中にゴムを通して絞ってある、これに４の風量拡散器を生地端から２００ｍｍの位置に穴を開け取付ける、これを頭に被せドライヤーのスイッチを入れ加温する。【０００８】  ６ホルダー取付け台は凹みをつけ５ホルダー本体に接着する。７のネジ穴は６ホルダー取付け台の底部に開け１三脚の雲台にネジで取り付ける。ドライヤーを固定する為の５ホルダー本体はプラスチック製又はこれに類するパイプを使用し上部８に切り目を入れたものでドライヤーを差し込む際開いて固定する。
【図面の簡単な説明】
【０００９】
【図１】本考案のドライマシーン実施例を示す全体図です
【図２】本マシーンのフードの斜視図です
【図３】本マシーンのホルダー部分の正面図です
【図４】本マシーンのホルダー部分の側面図です
【符号の説明】
【００１０】１  三脚
２  フード本体
３  袋縫い部分
４  風量拡散器
５  ホルダー本体
６  ホルダー取付け台
７  ホルダー底部ネジ穴
８  ホルダー切り目
【図１】
0003149778.tif 000003
【図２】
0003149778.tif 000004
【図３】
0003149778.tif 000005
【図４】
0003149778.tif 000006
【手続補正書】
【提出日】平成21年1月13日(2009.1.13)
【手続補正１】
【補正対象書類名】実用新案登録請求の範囲
【補正対象項目名】請求項１
【補正方法】変更
【補正の内容】
【請求項１】
風量拡散器を内側に取り付けた風量拡散器付きフードとヘアードライヤーを固定する為のドライヤー専用ホルダーを取り付けた三脚台を組み合わせ、フード内に温風を送り込んで使用することを特徴とするドライマシーン
(57)【要約】      （修正有）【課題】人体にブラジャーを装着したときにバストを持ち上げると共に、バストを中央に寄せることにより、パネルを安定させ、より美しいシルエットを追及し、腕の動きに関係なくバストを美しく保つようにしたブラジャーを提供する。【解決手段】一対のカップ部１と、一対の肩ストラップ２と、カップ部１の内側に位置するバストアップパネル３と、フック部４を有するバック部５とからなり、カップ部１の側縁部６と土台部７の夫々に両端を縫い合わされるようにバストアップパネル３を設け、該バストアップパネル３の先端を先細状にして土台部の下方中央部に縫い合わせたことを特徴としている。【選択図】図１
0003149774.tif 000002
【実用新案登録請求の範囲】
【請求項１】
一対のカップ部と一対の肩ストラップと前記カップ部の内側に位置せるバストアップパネルとフック部を有するバック部とよりなり、前記カップ部は、少なくとも両側にカップ側縁部と各下辺に土台部を備え、前記バストアップパネルはカップ側縁部に縫い合わされて、その先端を先細状にして土台部の中央部に縫い合わされてなるカップ寄せ部材を備えたブラジャー。
【請求項２】
前記バストアップパネルは、カップ側縁部と、脇側寄りの土台部に縫い合わされてなる前記請求項１記載のカップ寄せ部材を備えたブラジャー。
【請求項３】
前記バストアップパネルは、脇側から前中心側に至る中央部分から前記土台部との間に間隙部を設けてその先端部を土台部に縫い合わされてなる前記請求項１及び２記載のカップ寄せ部材を備えたブラジャー。
【考案の詳細な説明】
【技術分野】
【０００１】  本考案は、人体にブラジャーを装着した時にバストを持ち上げると共に、バストを中央に寄せることにより、腕の動きに関係なくバストを美しく保つようにしたものである。
【背景技術】
【０００２】  従来、この種ブラジャーはカップ部の裏側に、カップ部とは別にバストアップパネルを装着してバストをアップする効果を考えてきたものが提唱されている。例えば特開２００５−２８１９２０が挙げられる。【０００３】  また、前述のサイドパネルを前中心部で繋ぎバストを寄せる効果を期待したものとして、特開２００７−３２１２４９、特開２００５−２０６９４９が挙げられる。
【考案の開示】
【考案が解決しようとする課題】
【０００４】  上記従来技術のブラジャーは、バストをアップするためにバストを中央に寄せる効果が期待できても、アップさせる効果は弱く、また、装着時に手の上下運動によりサイドパネル自体も大きく動いてしまい、その効果が極めて弱いものとなっていた。【０００５】  例えば、右手を上に上げたときには、右カップ全体が上に引っ張り上げられ、カップの周囲に縫い込まれているサイドパネルも一緒に上に引っ張り上げられる。カップのくり自体が上に上がるため、サイドパネルのバストを寄せる力が弱まっていた。【０００６】  本考案は、このような課題を解決し、バストを持ち上げる効果と、中央に寄せる効果をを兼ね備え、更にその効果を持続させることが出来るようにしたものである。
【課題を解決するための手段】
【０００７】  本考案は、一対のカップ部と一対の肩ストラップ部と前記カップ部の内側に位置せるバストアップパネルとフック部を有するバック部とよりなり、前記カップ部は、少なくとも両側にカップ側縁部と各下辺に土台部を備え、前記バストアップパネルはカップ側縁部に縫い合わされて、その先端を先細状にして土台部の中央部に縫い合わされてなることを特徴としている。【０００８】  更に、前記バストアップパネルは、カップ側縁部と、脇よりの土台部に縫い合わされたことを特徴としている。【０００９】  また、前記バストアップパネルは、脇側から前中心側に至る中央部分から前記土台部との間に間隙を設けてその先端部を土台部に縫い合わされてなることを特徴とする。
【考案の効果】
【００１０】  本考案のカップ寄せ部材を備えたブラジャーは、ブラジャー装着時、手を上に上げてカップ全体が持ち上がっても、サイドパネルは反対側のカップの下部分に縫い込められているので、上に引っ張り上げられ難く、本来のバストアップ機能を保つことができる。【００１１】  更に、本考案は、バストを脇側よりアップさせると共に、中央にも寄せる効果もあり、その効果を持続させることも可能にしている。
【考案を実施するための最良の形態】
【００１２】  本考案のブラジャーを、図１、図２に基づいて説明する。
図１は、本考案のブラジャーを内側か見た背面図、図２は従来例の要部を示す図面である。【００１３】  本考案は、一対のカップ部１，１と、一対の肩ストラップ２、２と、前記カップ部の内側に設けたバストアップパネル３、３と、先端にフック部４、４を有するバック部５，５と、より構成されている。【００１４】  前記カップ部は、周囲は枠取りされ、脇側には側縁部６，６、下辺には土台部７，７を備え、この土台部にはワイヤーを挿入しており、左右の土台部７，７は一部を延長して連結部となしてその一部を構成している。【００１５】  前記バストアップパネル３，３は、通気性の良いメッシュ状の布を２層になるようにし、カップ側縁部６，６に縫い合わされ、その先端を先細状にして土台部７，７の下方中央部分に縫い合わされている。【００１６】  また、バストアップパネルは、カップ側縁部６，６と脇側寄りの土台部に縫い合わされている。【００１７】  更に、バストアップパネルは、脇側から前中心側に至る中央部分から前記土台部との間に間隙部８，８を設けてその先端部９，９を土台部の中央部分に縫い合わされている。【００１８】  図２の従来例では、便宜上片方の図示ではあるが、カップ部１０の内側には、下部を側縁部１１と土台部１２に連続して縫合されたバストアップパネル１３を設けている。
【図面の簡単な説明】
【００１９】
【図１】  本考案のカップ寄せ部材を備えたブラジャーの背面図
【図２】  本考案に相当する従来例を示す図
【符号の説明】
【００２０】    １、１    カップ部
２，２    肩ストラップ
３，３    バストアップパネル
４，４    フック部
５，５    バック部
６，６    側縁部
７，７    土台部
８，８    間隙部
９，９    先端部
【図１】
0003149774.tif 000003
【図２】
0003149774.tif 000004
【手続補正書】
【提出日】平成21年1月16日(2009.1.16)
【手続補正１】
【補正対象書類名】実用新案登録請求の範囲
【補正対象項目名】全文
【補正方法】変更
【補正の内容】
【実用新案登録請求の範囲】
【請求項１】
一対のカップ部と一対の肩ストラップと前記カップ部の内側に位置せるバストアップパネルとフック部を有するバック部とよりなり、前記カップ部は、少なくとも両側にカップ側縁部と各下辺に土台部を備え、前記バストアップパネルはカップ側縁部に縫い合わされて、その先端を先細状にして土台部の中央部に縫い合わされてなるカップ寄せ部材を備えたブラジャー。
【請求項２】
前記バストアップパネルは、カップ側縁部と、脇側寄りの土台部に縫い合わされてなる前記請求項１記載のカップ寄せ部材を備えたブラジャー。
【請求項３】
前記バストアップパネルは、脇側から前中心側に至る中央部分から前記土台部との間に間隙部を設けてその先端部を土台部に縫い合わされてなる前記請求項１または２記載のカップ寄せ部材を備えたブラジャー。
(57)【要約】      （修正有）【課題】従来はタバコとマッチまたはライターは別々にもっていた。タバコを吸いたい時、手元に火が無いと困る。不便である。そのような不便を解決するタバコ箱を提供する。【解決手段】タバコ箱の裏面又は側面にマッチ箱を接着するものである。単にタバコ箱にマッチ箱を接着するだけの事であるが、愛煙家は便利となり、よりタバコを楽しむことができる。【選択図】図１
0003149781.tif 000002
【実用新案登録請求の範囲】
【考案の詳細な説明】
【技術分野】
【０００１】  本考案は、タバコ箱の裏面又は側面にマッチ箱を接着するものである。
【背景技術】
【０００２】  従来はタバコとマッチまたはライターは別々にもっていた。タバコを吸いたい時、手元に火が無いと困る。不便である。
【考案の開示】
【考案が解決しようとする課題】
【０００３】  ｛０００２｝のような不便を解決することを課題とする。
【課題を解決するための手段】
【０００４】  及び【０００５】  タバコ箱の裏面又は側面にマッチ箱を接着する。
【考案の効果】
【０００６】  （０００４）及び｛０００５｝を行うことにより問題は一挙に解決する。
｛図面｝            略
0003149781.tif 000003
【手続補正書】
【提出日】平成21年1月17日(2009.1.17)
【手続補正１】
【補正対象書類名】実用新案登録請求の範囲
【補正対象項目名】全文
【補正方法】変更
【補正の内容】
【実用新案登録請求の範囲】
【請求項１】
タバコ箱の裏面又は側面にマッチ箱を接着したことを  特徴とするマッチ付きタバコ箱。
【手続補正２】
【補正対象書類名】明細書
【補正対象項目名】全文
【補正方法】変更
【補正の内容】
【考案の詳細な説明】
【技術分野】
【０００１】本考案は、タバコ箱の裏面又は側面にマッチ箱を接着するものである。
【背景技術】
【０００２】従来はタバコとマッチまたはライターは別々に持っていた。タバコを吸いたい時、手元に火が無いと困る。不便である。
【考案の開示】
【考案が解決しようとする課題】
【０００３】｛０００２｝のような不便を解決する事を課題とする。
【課題を解決するための手段】
【０００４】及び【０００５】タバコ箱の裏面又は側面にマッチ箱を接着する。
【考案の効果】｛０００４｝及び｛０００５｝を行うことにより問題は一挙にかいけつする。
【図面の簡単な説明】
【０００７】
【図１】マッチ付タバコの立体図である。
【手続補正３】
【補正対象書類名】図面
【補正対象項目名】全図
【補正方法】追加
【補正の内容】
【図１】
0003149781.tif 000004
(57)【要約】      （修正有）【課題】木漏れ日のような親しみのある照明効果を作ることができる照明装置を提供する。【解決手段】複数の光源部をそれぞれランダムに光量制御し、不透明な板に空いた複数の穴を通して照射することで、光の粒がゆらぎを伴い明滅し、木漏れ日をイメージさせる効果のある照明装置である。前記の不透明な板の複数の穴にはレンズを付けることで、より効率よく、また照射するものとの距離に影響されない照明装置となる。【選択図】図２
0003149789.tif 000002
【実用新案登録請求の範囲】
【請求項１】
複数の光源部をそれぞれランダムに光量制御し、不透明な板に空いた複数の穴を通し照射することで、光の粒がゆらぎを伴い明滅し、木漏れ日をイメージさせる照明装置。
【請求項２】
前記不透明な板の複数の穴にはレンズを付けることで、より効率よく、また照射するものとの距離に影響されないことを特徴とする請求項１記載の照明装置。
【考案の詳細な説明】
【技術分野】
【０００１】
本考案は、照明装置に関するものである。
【背景技術】
【０００２】
照明装置の光量制御などの技術はあるが、単調で演出効果として十分ではない。
【考案の開示】
【考案が解決しようとする課題】
【０００３】
解決しようとする問題点は、  光量制御の技術があれば、ゆらぎや動きが作れるが、効果的に生かされていなかった。そこで、この考案は親しみやすい効果的な演出を提供することを課題とする。
【課題を解決するための手段】
【０００４】
以上の課題を解決するために、第一考案は、複数の光源部をそれぞれランダムに光量制御し、不透明な板に空いた複数の穴を通し照射することで、光の粒がゆらぎを伴い明滅する照明装置である。
また、第二考案は、前記不透明な板の複数の穴にはレンズを付けることで、光の照射する範囲を変えずに散らばらせることができるため、より効率よく、また照射するものとの距離に影響されないことを特徴とする照明装置である。
【考案の効果】
【０００５】
第一考案、または第二考案によれば、光の粒がゆらぎや動きを伴い明滅し、木漏れ日のような親しみのある照明効果を作ることができる。
【考案を実施するための最良の形態】
【０００６】
ゆらぎや動きを伴う照明効果という目的を、最小の部品点数で、複雑な装置を使うことなく実現した。
【実施例１】
【０００７】
この考案の一実施形態の断面を図１に示し、斜視図を図２に示す。
複数の光源部１をそれぞれランダムに光量制御し、不透明な板２に空いた複数の穴を通し照射する。この不透明な板２の複数の穴にはそれぞれレンズ３が付けられている。
【産業上の利用可能性】
【０００８】
住宅、店舗、各種施設に効果的な照明演出を提供する。
【図面の簡単な説明】
【０００９】
【図１】この考案の一実施形態を示す断面図である。
【図２】この考案の一実施形態を示す斜視図である。
【符号の説明】
【００１０】
１    複数の光源
２    複数の穴の空いた不透明な板
３    穴に付けられたレンズ
【図１】
0003149789.tif 000003
【図２】
0003149789.tif 000004
【手続補正書】
【提出日】平成21年1月31日(2009.1.31)
【手続補正１】
【補正対象書類名】実用新案登録請求の範囲
【補正対象項目名】請求項１
【補正方法】変更
【補正の内容】
【請求項１】
複数の光源部と複数の穴の空いた不透明な板とから構成されており、複数の光源
部をそれぞれランダムに光量制御し、不透明な板に空いた複数の穴を通し照射する
ことで、光の粒がゆらぎを伴い明滅し、木漏れ日をイメージさせる照明装置。
(57)【要約】      （修正有）【課題】可燃性残存内容物の飛散を低減出来、周辺の汚染と発火などの危険性を低減するガス抜き器を提供する。【解決手段】本ガス抜き器は、箱型の受け皿をもった構造になっていて、ガス抜きのための穴あけ時に噴出する可燃性内容物などを、受ける様になっている。ガス抜き時に噴出する可燃性残存内容物を受ける受け皿と、スプレー缶に穴をあけるピンで構成され、ガス抜きは足を用いて行う。【選択図】図２
0003149783.tif 000002
【実用新案登録請求の範囲】
【請求項１】
塗料スプレー缶や液体グリーススプレー缶、その他、化粧品、殺虫剤などのスプレー缶のガス抜き時に、吐出する可燃性残存内容物を受ける、受け皿を備えたガス抜き器。
【考案の詳細な説明】
【技術分野】
【０００１】  本考案は、スプレー缶のガス抜き器に関するものである。
【背景技術】
【０００２】  従来のガス抜き器には、スプレー缶を囲う受け皿がなかった。
【考案の開示】
【考案が解決しようとする課題】
【０００３】  従来のガス抜き器には、スプレー缶を囲う受け皿がないため、塗料スプレー缶や、液体グリーススプレー缶、その他、化粧品、殺虫剤などのスプレー缶のガス抜きをする場合、可燃性残存内容物の飛散で周囲を汚すこともあり、可燃性のため危険でもあった。
【課題を解決するための手段】
【０００４】  その不具合をなくすため、本考案のガス抜き器は、図１に示す様な箱型の受け皿をもった構造になっていて、ガス抜きのための穴あけ時に吐出する可燃性内容物などを、受ける様になっている。
【考案の効果】
【０００５】  ガス抜き器が、スプレー缶を囲う受け皿をもつことにより、可燃性残存内容物の飛散が低減出来、周辺の汚染と、発火などの危険性も低減された。
【考案を実施するための最良の形態】
【０００６】  本考案に係る、スプレー缶のガス抜き器は、図１に示す様に、ガス抜き時に出吐する可燃性残存内容物を受ける受け皿１と、スプレー缶に穴をあけるピン２で、構成されていて、ガス抜きは足を用いて行う。
【図面の簡単な説明】
【０００７】
【図１】  本考案に係る、スプレー缶の断面図である。
【図２】  本考案に係る、スプレー缶のガス抜き器に、スプレー缶をセットした斜視図である。
【符号の説明】
【０００８】    １      ガス抜き器の受け皿
２      スプレー缶に孔を明けるピン
【図１】
0003149783.tif 000003
【図２】
0003149783.tif 000004
【手続補正書】
【提出日】平成21年1月8日(2009.1.8)
【手続補正１】
【補正対象書類名】実用新案登録請求の範囲
【補正対象項目名】全文
【補正方法】変更
【補正の内容】
【実用新案登録請求の範囲】
【請求項１】
スプレー缶のガス抜き時に、吐出する可燃性残存内容物を受ける受け皿と、スプレー缶に穴をあけるピンを備えたガス抜き器。
(57)【要約】      （修正有）【課題】他人に勝手に移動、撤去されない表示装置を提供する。【解決手段】簡単に土中に打ち込み出来る短いアングル４の頭部の穴と、または近接の建築物などに鍵つきワイヤー３を接続するため、このポール１を通して鍵２などで繋ぐものである。開錠、施錠、は鍵２で簡単に出来る。用務が終って他に移動の時アングル４が抜きにくければ其の儘にして新しいアングルを使用すれば安上りですむ。【選択図】図1
0003149785.tif 000002
【実用新案登録請求の範囲】
【請求項１】
自己の使用する専用の場所において、占用の表示装置が勝手に取り去られ、障害物などが置かれ、その場所を占用され危険な場合など、迷惑する事がたびたびあるのでこれを防ぐための考案である。
【考案の詳細な説明】
【技術分野】
【０００１】
本考案は不法撤去防止使用場所表示装置である
【背景技術】
【０００２】
使用場所の表示について使用本人の承諾なしに勝手に移動撤去され危険などの事故があるので此れを防ぐため考案した
【考案の開示】
【考案が解決しようとする課題】
【０００３】
使用中は確実に効果があって、不要になったときは簡単に、撤去させら
れる装置である
【課題を解決するための手段】
【０００４】
本考案は簡単に土中に打ち込み出来る短いアングルの頭部の穴と、または近接の建築物などに鍵つきワイヤーを接続するため、このポールを通して鍵などで繋ぐものである、開錠、施錠、は  鍵で簡単に出来る、用務が終って他に移動の時アングルが抜きにくければ其の侭にして新しいアングルを使用すれば安上がりですむ。
【考案の効果】
【０００５】
表示装置の設置、除去が確実簡単になった。
【考案を実施するための最良の形態】
【０００６】
固定のためのアングルを土中に打ち込むだけで簡単である
【実施例】
【０００７】
固定のためのアングルを近接建造物または土中や舗装アスファルトに打ち込み固定する、これにワイヤーでポールを設置接続する。
【図面の簡単な説明】
【０００８】
【図１】本考案の正面図
【図２】側面図
【図３】地中を含む側面図
【符号の説明】
【０００９】
1は      表示ポール
2は      ロックワイヤーのための鍵
3は      アングルと表示ポールとをつなぐワイヤー  
4は      地中に打ち込むアングル
【図１】
0003149785.tif 000003
【図２】
0003149785.tif 000004
【図３】
0003149785.tif 000005
【手続補正書】
【提出日】平成21年1月29日(2009.1.29)
【手続補正１】
【補正対象書類名】実用新案登録請求の範囲
【補正対象項目名】全文
【補正方法】変更
【補正の内容】
【実用新案登録請求の範囲】
【請求項１】
自己の使用する専用の場所に設置する表示装置であって、表示ポール（1）と、地中に打ち込むアングル（4）と、そのアングル（4）と表示ポール（1）とを繋ぐワイヤー（3）及びそのワイヤー（3）の締結するロックワイヤーのための鍵（2）とで構成され、表示ポール（1）の不法撤去を防止することのできる専用表示装置。
(57)【要約】      （修正有）【課題】ペット犬の散歩中に屈むことなくペット犬のブラッシングができるペット犬用ブラシを提供する。【解決手段】櫛形状のものを含む小型のブラシに適当な長さの柄または長さ調整ができる伸縮可能な柄を装着し、ペット犬の散歩中にブラッシングを施すことに役立つようにしたものである。ペット犬の形態、散歩の環境等により柄の長さ、種類、ブラシの形状等を飼い主が任意に選んで使用することができる。【選択図】図１
0003149782.tif 000002
【実用新案登録請求の範囲】
【請求項１】
小型のブラシ（櫛形状のものを含む）に適当な長さの柄を装着し、ペット犬の散歩中に屈むことなくペット犬のブラッシングをすることを特徴とした柄のついたペット犬用ブラシ
【請求項２】
ブラシ部分が交換出来るようブラシ及び柄の先端部にネジ込み式または差込式等の接続構造を持ったペット犬用ブラシ
【請求項３】
ブラシ部分と柄をバネ（螺旋状あるいは板状）を介して接続することで、ブラシが接するペット犬の体表面に過度の力がかからないよう調整できるペット犬用ブラシ
【請求項４】
柄を伸縮可能構造とし、長さ調整ができるとともに携帯し易くしたペット犬用ブラシ
【考案の詳細な説明】
【技術分野】
【０００１】    本考案は、小型のブラシ（櫛形状のもの等を含む）に適当な長さの柄または長さ調整ができる伸縮可能な柄を装着した、ペット犬用ブラシに関するものである。
【背景技術】
【０００２】    ペット犬のブラッシングをする際は、ペット犬を立たせ、寝かせ、または膝に抱いてブラッシングしていた。
【考案の開示】
【考案が解決しようとする課題】
【０００３】    ブラッシングは、ペット犬の健康維持のために必要不可欠な保育作業であり、可能ならば毎日実施することが望ましいと多くの専門家が勧めているが、ペット自身にとっては凝っと動かずにブラッシングを受けることは必ずしも快適な行為ではなく、また飼い主にとっても場所・時間・作業姿勢・飛び散る毛の始末など労働負担が大きい。従って、大半の飼い主が日課としているペット犬の散歩に併せブラッシングすることにより、特別な準備などをすることなく気軽にブラッシング作業が可能となり、前述の欠点を解決しようとするものである。
【課題を解決するための手段】
【０００４】    本考案は、小型のブラシ（櫛形状のもの等を含む）に適当な長さの柄または長さ調整ができる伸縮可能な柄を装着し、ペット犬の散歩中に屈むことなくペット犬のブラッシングをすることにより、問題点を解決している。
【考案の効果】
【０００５】    上述の様に、本考案のペット犬用ブラシは日課の散歩に併せてブラッシングを施すことができるため、場所や時間、ブラッシングのための準備等に煩わされることなく、また飛び散る犬の毛を気にすることなくブラッシングが実施できるほか、散歩で気分の高揚しているペット犬とのより密度の濃いスキンシップにもなると思料する。
【考案を実施するための最良の形態】
【０００６】    ペット犬の毛質・毛並み・毛長・体型などに対応したブラシに、ペット犬の体高などを考慮した長さの柄または長さ調整可能な柄を装着または固定することにより、散歩中にペット犬の体表面を十分にブラッシングすることができる。また、ブラシ部分と柄部分をバネを介して接続する構造のものでは、ペット犬の体表面に接するブラシ部分に過度の力がかからないような機能をバネに持たせるものとする。
【実施例】
【０００７】    以下、添付図面に従って実施例を説明する。図１は柄の長さが調整可能で、ブラシ部分を交換できる『ペット犬用お散歩ブラシ』の一例である。１の握り部分を持って先端のブラシ部分がペット犬に十分届くよう２の柄部分の長さを調整する。２は合成樹脂、竹、軽金属などの軽量かつ柔軟な素材で製作し、スライド構造または伸び縮みするホイップアンテナの如き構造で伸縮可能となっているため、長さ調整とともに全体の大きさをコンパクトにまとめることができる。また、３の部分は先端部のブラシが交換出来るようネジ込み式または差込式等の接続構造となっている。４は先端の交換用アタッチメントの例である。４の左端は合成樹脂、竹、金属製などの櫛形状、中央は鋼線・合成樹脂・竹製などの熊手状ブラシ、右端は左右のブラシ部分が円筒状で回転可能であると共に体表面にフィットするよう左右部分の角度可変のブラシであり、ペット犬の毛質・毛並み・毛長・体型・体高などに対応した様々な形状・材質で製作して交換可能としている。【０００８】    図２は先端ブラシ部分の接続部に６のバネを介して、ブラシ部分の接触圧力を軽減調整できるタイプの『ペット犬用お散歩ブラシ』の一例である。５の柄の部分は合成樹脂、竹、軽金属などの軽量かつ柔軟な素材で製作している。図１と同じく先端のブラシ部分が交換可能となっている。【０００９】    図示は省くが、構造を単純化するため一定長の柄とブラシ部分を合成樹脂等で一体成型すれば製作コストを低く抑えることができる。【００１０】    本考案の実施例は上述の如き構成からなるものであるから、ペット犬の形態、散歩の環境等により柄の長さ・種類、ブラシの形状等を飼い主が任意に選んで使用することができる。
【図面の簡単な説明】
【００１１】
【図１】本考案の『ペット犬用お散歩ブラシ』の一実施例を示す外観図である。
【図２】本考案の『ペット犬用お散歩ブラシ』の一実施例を示す外観図である。
【符号の説明】
【００１２】  １  握り部分
２  柄（伸縮式）
３  先端ブラシ交換用接合部
４  交換用アタッチメントの例
５  柄
６  バネ（螺旋状あるいは板状）
【図１】
0003149782.tif 000003
【図２】
0003149782.tif 000004
【手続補正書】
【提出日】平成21年1月15日(2009.1.15)
【手続補正１】
【補正対象書類名】実用新案登録請求の範囲
【補正対象項目名】全文
【補正方法】変更
【補正の内容】
【実用新案登録請求の範囲】
【請求項１】
櫛形状のものを含む小型のブラシに適当な長さの柄を装着し、ペット犬の散歩中に屈むことなくペット犬のブラッシングをすることを特徴とした柄のついたペット犬用ブラシ
【請求項２】
ブラシ部分が交換出来るようブラシ及び柄の先端部にネジ込み式または差込式等の接続構造を持つことを特徴とする請求項１記載のペット犬用ブラシ
【請求項３】
ブラシ部分と柄を螺旋状あるいは板状のバネを介して接続することで、ブラシが接するペット犬の体表面に過度の力がかからないよう調整できることを特徴とする請求項１記載のペット犬用ブラシ
【請求項４】
柄を伸縮可能構造とすることで、長さ調整ができるとともに携帯し易くすることを特徴とする請求項１記載のペット犬用ブラシ
(57)【要約】【課題】  ヘッドホンのコードを省くことにより身軽で快適な音楽再生環境を実現でき、ヘッドホン自体の携帯性を向上させた携帯音楽プレーヤー一体型ヘッドホン装置を提供する。【解決手段】  ヘッドホン装置１は、再生音を出力するスピーカユニットが内蔵された一対のハウジング１１と、ハウジング１１に接続されたヘッドバンド１２と、携帯音楽プレーヤー１３を収納、保持するための装着部１４と、ヘッドホン装置１と携帯音楽プレーヤー１３を接続するための接続部を有する。【選択図】  図１
0003149718.tif 000002
【実用新案登録請求の範囲】
【請求項１】
ヘッドバンドの両端に接続された２個のヘッドホン本体いずれか一方に配設した装着部に携帯音楽プレーヤーを装着した携帯音楽プレーヤー一体型ヘッドホン装置。
【請求項２】
ヘッドバンドの両端に接続された２個のヘッドホン本体いずれか一方に配設した装着部に携帯電話を装着した音楽プレーヤー一体型ヘッドホン装置。
【考案の詳細な説明】
【技術分野】
【０００１】
本考案は、ヘッドホン本体に携帯音楽プレーヤーを装着した携帯音楽プレーヤー一体型ヘッドホン装置に関する。
【背景技術】
【０００２】
現在、屋内外において音楽を聴くための小型で軽量の音楽再生装置および音楽再生機能を持つ携帯電話が大変普及している。従来はこれらの再生装置本体とヘッドホンはそれぞれ別々に構成されており、再生機器と本体を結ぶコードが必要であった。
【先行技術文献】
【特許文献】
【０００３】
【特許文献１】登録実用新案第３１３８６１１号公報
【特許文献２】特開２００５−２０３８５７号公報
【考案の概要】
【考案が解決しようとする課題】
【０００４】
別体のヘッドホンと携帯型音声プレーヤーもしくは音楽再生機能を持つ携帯電話の組み合わせにおける、この別体のヘッドホンと携帯電話もしくは携帯型音声プレーヤーの機能を持たせた小型機器という２つにものを持ち歩くことの煩わしさや、聴いている際に別体の小型機器とヘッドホンに至るコードが邪魔になる、また、コード自体が断線などの故障要因になるといった問題があった。
【課題を解決するための手段】
【０００５】
ヘッドホンに携帯音楽プレーヤーもしくは音楽再生機能を持つ携帯電話本体を収納するスペースおよび保持するカバーと直接的に接続できるコネクタを設けることで、ヘッドホンと音楽再生装置を一体化することができる。
【考案の効果】
【０００６】
本考案は、ヘッドホンのコードを省くことにより身軽で快適な音楽再生環境を実現でき、ヘッドホン自体の携帯性も向上する。また、コード自体の断線やヘッドホンまたは再生装置本体の接続とコードの接触不良といったトラブルを防ぐことができる。
【図面の簡単な説明】
【０００７】
【図１】本考案の実施形態におけるヘッドホン装置を示す斜視図である。
【図２】本考案の実施形態における外観を示した平面図である。
【図３】本考案の実施形態における外観を示した斜視図である。
【図４】本考案の実施形態における外観を示した底面図である。
【考案を実施するための形態】
【０００８】
以下に添付図面を参照しながら、本考案の好適な実施の形態について詳細に説明する。なお、本実施例において詳述した実施の形態と実質的に同一の機能構成を有する構成要素については、同一の符号を付することにより重複説明を省略する。
【０００９】
まず、本考案の実施形態に係るヘッドホン装置１について説明する。図１は本実施形態のヘッドホン装置１を示す斜視図である。図２は本実施形態のヘッドホン装置１を示す平面図である。
【００１０】
ヘッドホン装置１は、図１および図２に示すように、再生音を出力するスピーカユニットが内蔵された一対のハウジング１１と、ハウジング１１に接続されたヘッドバンド１２と、携帯音楽プレーヤー１３を収納、保持するための装着部１４と、ヘッドホン装置１と携帯音楽プレーヤー１３を接続するための接続部を有する。
【００１１】
図２はヘッドホン装置１に携帯音楽プレーヤー１３を接続した状態の斜視図である。ヘッドホン装置１には携帯音楽プレーヤー１３を収納するスペースや保持するための装着部１４があり、ヘッドホン装置１の装着部１４に携帯音楽プレーヤー１３を上からスライドしてはめ込みハウジング１１に固定する。装着部１４の底部には接続部（図示せず）があり、はめ込まれた携帯音楽プレーヤー１３とヘッドホン装置１を直接的にかつ電気的に接続する。図１はヘッドホン装置１に携帯音楽プレーヤー１３を接続した状態の横から見た斜視図である。
【実施例】
【００１２】
図３はヘッドホン装置１に音楽再生機能を持った携帯電話１５を接続した状態の斜視図である。ヘッドホン装置１には音楽再生機能を持った携帯電話１５を収納するスペース、保持するための装着部１４があり、ヘッドホン装置１の装着部１４に音楽再生機能を持った携帯電話１５を上からスライドしてはめ込みハウジングに固定する。装着部１４の底部には接続部があり、はめ込まれた音楽再生機能を持った携帯電話１５とヘッドホン装置１を直接的かつ電気的に接続する。
【産業上の利用可能性】
【００１３】
現在、屋内外において音楽を聴くための小型で軽量の音楽再生装置および音楽再生機能を持つ携帯電話をヘッドホンを用いて音楽を聴くために高い利便性、必要性を兼ね備えており、産業上の利用性は高い。
【符号の説明】
【００１４】
１    ヘッドホン装置
１１  ハウジング
１２  ヘッドバンド
１３  携帯音楽プレーヤー
１４  装着部
１５  音楽再生機能を持った携帯電話
【図１】
0003149718.tif 000003
【図２】
0003149718.tif 000004
【図３】
0003149718.tif 000005
【図４】
0003149718.tif 000006